(57)【特許請求の範囲】
【請求項１】
シートバックフレームの少なくとも左右の両サイドフレーム部が樹脂材料によって形成され、前記両サイドフレーム部の下部が、リクライニング機構のアッパアームに締結ボルトによって締結される車両用シートのシートバックフレームの締結構造であって、
前記アッパアームの上部には、シート幅方向へ張り出す取付片が形成される一方、
前記サイドフレーム部の前側と後側には、前後の強化繊維テープがそれぞれ固着され、
前記サイドフレーム部の下部には、前記取付片に締結ボルトによって締結される下側フランジ部が形成され、
前記下側フランジ部には、前記強化繊維テープに連続する下側の強化繊維テープが固着されており、
前記サイドフレーム部の前記下側フランジ部には、該下側フランジ部を下前側フランジ部と下後側フランジ部に前後に分離する分離部が設けられ、
前記下前側フランジ部は、前記取付片の下面に締結ボルトによって締結され、
前記下後側フランジ部は、前記取付片の上面に締結ボルトによって締結されていることを特徴とする車両用シートのシートバックフレームの締結構造。
【発明の詳細な説明】
【技術分野】
【０００１】
この発明は車両用シートのシートバックフレームの締結構造に関する。
【背景技術】
【０００２】
従来、車両用シートの軽量化を図るために、シートバックの骨格部をなすシートバックフレームが樹脂材料によって形成されたものが知られている。
また、車両用シートのシークッションの軽量化を図るために、シートクッションフレームが樹脂材料に形成されたものも知られている（例えば、特許文献１参照）。
【先行技術文献】
【特許文献】
【０００３】
【特許文献１】実開平７−２３４５７号公報
【発明の概要】
【発明が解決しようとする課題】
【０００４】
ところで、樹脂材料によって形成されたシートバックフレームにおいて、その左右の両サイドフレーム部下部を、リクライニング機構のアッパアームに締結ボルトによって締結すると、左右の両サイドフレーム部下部の締結ボルトの回りに対し応力が集中する。これによって、左右の両サイドフレーム部下部の締結ボルトの回りが損傷されることが想定される。
このため、左右の両サイドフレーム部下部の側面に金属板を配設して補強し、この金属板を通して左右の両サイドフレーム部下部を、リクライニング機構のアッパアームに締結ボルトによって締結することが考えられる。
しかしながら、左右の両サイドフレーム部下部の側面に金属板を配設すると見栄えが悪化されると共に、重量が増加するという不具合が生じる。
【０００５】
この発明の目的は、前記問題点に鑑み、シートバックフレームの少なくとも左右の両サイドフレーム部を樹脂製にして軽量化を図りながらサイドフレーム部の下部をリクライニング機構のアッパアームに強固に締結することができる車両用シートのシートバックフレームの締結構造を提供することである。
【課題を解決するための手段】
【０００６】
前記課題を解決するために、この発明の請求項１に係る車両用シートのシートバックフレームの締結構造は、シートバックフレームの少なくとも左右の両サイドフレーム部が樹脂材料によって形成され、前記両サイドフレーム部の下部が、リクライニング機構のアッパアームに締結ボルトによって締結される車両用シートのシートバックフレームの締結構造であって、
前記アッパアームの上部には、シート幅方向へ張り出す取付片が形成される一方、
前記サイドフレーム部の前側と後側には、前後の強化繊維テープがそれぞれ固着され、
前記サイドフレーム部の下部には、前記取付片に締結ボルトによって締結される下側フランジ部が形成され、
前記下側フランジ部には、前記強化繊維テープに連続する下側の強化繊維テープが固着されており、
前記サイドフレーム部の前記下側フランジ部には、該下側フランジ部を下前側フランジ部と下後側フランジ部に前後に分離する分離部が設けられ、
前記下前側フランジ部は、前記取付片の下面に締結ボルトによって締結され、
前記下後側フランジ部は、前記取付片の上面に締結ボルトによって締結されていることを特徴とする。
【０００７】
前記構成によると、シートバックフレームの少なくとも左右の両サイドフレーム部を樹脂材料によって形成することで、シートバックフレーム全体が金属材によって形成される場合と比べ軽量化を図ることができる。
また、左右の両サイドフレーム部の前側と後側にそれぞれ固着された強化繊維テープによって、左右の両サイドフレーム部の前後方向への強度を効率よく高めることができる。
さらに、左右の両サイドフレーム部の下側フランジ部に固着された下側の強化繊維テープによって下側フランジ部を補強することで、サイドフレーム部の下部をリクライニング機構のアッパアームに強固に締結することができる。
また、着座者の背もたれ荷重を、サイドフレーム部の下前側フランジ部と、下後側フランジ部を介してリクライニング機構のアッパアームの取付片で合理的に受けることができる。
すなわち、着座者の背もたれ荷重がサイドフレーム部に作用する際、サイドフレーム部の前側部には引張応力が生じ、後側部には圧縮応力が生じる。
そして、サイドフレーム部の前側部に生じる引張応力に基づく荷重を、下前側フランジ部を介して取付片の下面で良好に受けることができ、サイドフレーム部の後側部で生じる圧縮応力に基づく荷重を下後側フランジ部を介して取付片の上面で良好に受けることができる。
このため、サイドフレーム部の下前側フランジ部及び下後側フランジ部が締結ボルトの回りにおいて破損されることを防止することができる。
【図面の簡単な説明】
【００１０】
【図１】この発明の実施例１に係る車両用シートのシートバックフレームの左右の両サイドフレーム部の下側フランジ部が締結ボルトによってリクライニング機構のアッパアームの取付片に締結された状態を示す斜視図である。
【図２】同じくサイドフレーム部の下側フランジ部と、リクライニング機構のアッパアームの取付片とが締結される前の分離状態を示す斜視図である。
【図３】同じくシートバックフレームのサイドフレーム部を示す図２のＩＩＩ−ＩＩＩ線に沿う平断面図である。
【図４】同じくサイドフレーム部の下側フランジ部が締結ボルトによってリクライニング機構のアッパアームの取付片に締結された状態を示す側断面図である。
【発明を実施するための形態】
【００１１】
この発明を実施するための形態について実施例にしたがって説明する。
【実施例１】
【００１２】
この発明の実施例１を図面にしたがって説明する。
図１と図２に示すように、車両用シートのシートクッション（図示しない）の後部に配置されるシートバックにおいて、その骨格部をなすシートバックフレーム２１は、シート幅方向に所定間隔を隔てる左右の両サイドフレーム部３０と、これら両サイドフレーム部３０の上端部を連結するヘッドレストフレーム（又はアッパフレーム部）２２と、両サイドフレーム部３０の下端部を連結するロアフレーム部２３とを一体連続状に有して枠状に形成されている。
そして、左右の両サイドフレーム部３０の下部が、リクライニング機構５０のアッパアーム５２に締結ボルト６０、６２とナット６１、６３によって締結される。
【００１３】
図２に示すように、リクライニング機構５０のアッパアーム５２の上部には、シート幅方へ水平状に張り出す取付片５３が折曲形成されている。
そして、取付片５３の前後部には、締結ボルト６０、６２のネジ部が挿通されるボルト孔５５、５６が貫設されている。
なお、図２に示すように、リクライニング機構５０のロアアーム５１は、シートクッションの骨格部をなすシートクッションフレームの左右の両サイドフレーム部（図示しない）の後部に締結ボルトによって締結される。そして、シートクッションに対しシートバック（シートクッションフレーム１１）が前後方向へ傾き調整可能に連結される。
【００１４】
車両用シートの軽量化を図るため、シートバックフレーム２１の少なくとも左右の両サイドフレーム部３０は、樹脂材料（合成樹脂材料、強化繊維が混合された合成樹脂材料も含む）が成形型内に充填されることによって形成されている。
この実施例１において、シートバックフレーム２１の左右の両サイドフレーム部３０と、ヘッドレストフレーム部（又はアッパフレーム部）２２と、ロアフレーム部２３とが樹脂材料によって一体成形されている。
また、図２と図３に示すように、シートバックフレーム２１の左右の両サイドフレーム部３０は、上下方向へ延びる前側フランジ部３１と、後側フランジ部３２と、これら前後のフランジ部３１、３２を連結する連結壁部３５とを有して横断面チャンネル形状をなしている。
また、連結壁部３５の一側面には、剛性を確保するためにハニカム構造をなすリブ３４が形成されている。
【００１５】
図２と図４に示すように、左右の両サイドフレーム部３０の下部には、アッパアーム５２の取付片５３に締結ボルト６０、６２によって締結される下側フランジ部３３が一体に形成されている。
この実施例１において、下側フランジ部３３は、下前側フランジ部３３ａと、下後側フランジ部３３ｂと分離部において前後に分離されている。そして、図４に示すように、下前側フランジ部３３ａは、前側フランジ部３１の下端に連続すると共に、アッパアーム５２の取付片５３の下面に締結ボルト６０とナット６１によって締結される。
また、下後側フランジ部３３ｂは、後側フランジ部３２の下端に連続すると共に、アッパアーム５２の取付片５３の上面に締結ボルト６２とナット６３によって締結される。
【００１６】
図１〜図４に示すように、左右の両サイドフレーム部３０の前側フランジ部３１と、後側フランジ部３２には、カーボン繊維、アラミド繊維、ガラス繊維等の前側の強化繊維テープ４０と後側の強化繊維テープ４１とがそれぞれ固着されている。
この実施例１において、図４に示すように、前側の強化繊維テープ４０の下端には、下前側フランジ部３３ａの下面に沿って下前側の強化繊維テープ４０ａが連続して延長されている。そして、下前側の強化繊維テープ４０ａは、下前側フランジ部３３ａの下面に固着されている。
また、後側の強化繊維テープ４１の下端には、下後側フランジ部３３ｂの下面に沿って下後側の強化繊維テープ４１ａが連続して延長されている。そして、下後側の強化繊維テープ４１ａは、下後側フランジ部３３ｂの下面に固着されている。
【００１７】
また、この実施例１において、シートバックフレーム２１を成形型内で形成すると同時に、前側の強化繊維テープ４０と、後側の強化繊維テープ４１と、下前側の強化繊維テープ４０ａと、下後側の強化繊維テープ４１ａとが、左右の両サイドフレーム部３０の前側フランジ部３１と、後側フランジ部３２と、下前側フランジ部３３ａと、下後側フランジ部３３ｂとに溶融接着されて固着されている。
また、シートバックフレーム２１が成形された後、前側の強化繊維テープ４０と、後側の強化繊維テープ４１と、下前側の強化繊維テープ４０ａと、下後側の強化繊維テープ４１ａとが、接着剤によって、左右の両サイドフレーム部３０の前側フランジ部３１と、後側フランジ部３２と、下前側フランジ部３３ａと、下後側フランジ部３３ｂとに接着されてもよい。
【００１８】
また、この実施例１において、前側の強化繊維テープ４０と、後側の強化繊維テープ４１と、下前側の強化繊維テープ４０ａと、下後側の強化繊維テープ４１ａとは、ＵＤテープとも呼ばれることがある一方向性強化繊維（炭素繊維）テープが用いられ、その繊維の方向は各フランジ部の長手方向に沿うように配設されている。
【００１９】
この実施例１に係る車両用シートのシートバックフレームの締結構造は上述したように構成される。
したがって、シートバックフレーム２１の少なくとも左右の両サイドフレーム部３０がが樹脂材料によって形成されることで、シートバックフレーム全体が金属材によって形成される場合と比べ軽量化を図ることができる。
また、左右の両サイドフレーム部３０の前側フランジ部３１と後側フランジ部３２のそれぞれ固着された前側の強化繊維テープ４０と後側の強化繊維テープ４１によって、左右の両サイドフレーム部３０の前後方向への強度を効率よく高めることができる。
さらに、左右の両サイドフレーム部３０の下前側フランジ部３３ａ及び下後側フランジ部３３ｂにそれぞれ固着された下前側の強化繊維テープ４０ａ及び下後側の強化繊維テープ４１ａによって、下前側フランジ部３３ａ及び下後側フランジ部３３ｂを補強することで、リクライニング機構５０のアッパアーム５２の取付片５３に対し締結ボルト６０、６２とナット６１、６３によって下前側フランジ部３３ａ及び下後側フランジ部３３ｂを強固に締結することができる。
ひいては、左右の両サイドフレーム部３０をリクライニング機構５０のアッパアーム５２に強固に締結することができる。
【００２０】
また、この実施例１において、下前側フランジ部３３ａは、取付片５３の下面に締結ボルト６０とナット６１によって締結され、下後側フランジ部３３ｂは、取付片５３の上面に締結ボルト６２とナット６３によって締結されている。
このため、着座者の背もたれ荷重を、左右の両サイドフレーム部３０の下前側フランジ部３３ａと、下後側フランジ部３３ｂを介してリクライニング機構５０のアッパアーム５２の取付片５３で合理的に受けることができる。
すなわち、着座者の背もたれ荷重がサイドフレーム部に作用する際、左右の両サイドフレーム部３０の前側部には引張応力が生じ、後側部には圧縮応力が生じる。
そして、左右の両サイドフレーム部３０の前側部に生じる引張応力に基づく荷重を、下前側フランジ部３３ａを介して取付片５３の下面で良好に受けることができる。
さらに、左右の両サイドフレーム部３０の後側部で生じる圧縮応力に基づく荷重を、下後側フランジ部３３ｂを介して取付片５３の上面で良好に受けることができる。
このため、左右の両サイドフレーム部３０の下前側フランジ部３３ａ及び下後側フランジ部３３ｂが締結ボルト６０、６２の回りにおいて破損されることを防止することができる。
【００２１】
なお、この発明は前記実施例１に限定するものではなく、この発明の要旨を逸脱しない範囲内において、種々の形態で実施することができる。
例えば、前記実施例１においては、シートバックフレーム２１の左右の両サイドフレーム部３０と、アッパフレーム部２２と、ロアフレーム部２３とが樹脂材料によって一体成形される場合を例示したが、アッパフレーム部２２やロアフレーム部２３は金属材によって形成することも可能である。
また、前記実施例１においては、左右の両サイドフレーム部３０の下側フランジ部３３が、分離部において、下前側フランジ部３３ａと、下後側フランジ部３３ｂとに前後に分離される場合を例示したが、下側フランジ部３３が分離されることなく一体連続状に形成してもこの発明を実施することができる。
【符号の説明】
【００２２】
２１  シートバックフレーム
３０  左右の両サイドフレーム部
３１  前側フランジ部
３２  後側フランジ部
３３  下側フランジ部
３３ａ  下前側フランジ部
３３ｂ  下後側フランジ部
４０  前側の強化繊維テープ
４０ａ  下前側の強化繊維テープ
４１  後側の強化繊維テープ
４１ａ  下後側の強化繊維テープ
６０、６２  締結ボルト
６１、６３  ナット
【図１】
0005867300.tif 000002
【図２】
0005867300.tif 000003
【図３】
0005867300.tif 000004
【図４】
0005867300.tif 000005